(57)【特許請求の範囲】
【請求項１】
複数のシャンパングラスを水平方向に配置し、隣接する前記シャンパングラス同士を接着してシャンパングラスユニットを形成し、
パイプを立て、
前記パイプを囲むように複数の前記シャンパングラスユニットを水平方向に配置し、
前記パイプが通る貫通孔を有する板を、前記貫通孔に前記パイプを通し、前記水平方向に配置した複数のシャンパングラスユニット上に配置し、
上段にいくにつれシャンパングラスの数が減少するように、前記シャンパングラスユニットの配置と前記板の配置を繰り返して、前記シャンパングラスを積み上げ、
液体を前記パイプ内に通し、前記パイプの２つの端部のうち頂部側の端部から流す
シャンパングラスツリーの組立方法。
【請求項２】
請求項１に記載のシャンパングラスツリーの組立方法であって、
前記板は、該板の直下に配置される複数の前記シャンパングラスのうち外側に配置されるシャンパングラスの開口を部分的に塞ぐ
シャンパングラスツリーの組立方法。
【請求項３】
請求項１に記載のシャンパングラスツリーの組立方法であって、
前記シャンパングラスユニットと該シャンパングラスユニットと接する前記板とを接着する
ことを更に有するシャンパングラスツリーの組立方法。
【請求項４】
請求項１に記載のシャンパングラスツリーの組立方法であって、
前記シャンパングラスツリーは多角錐である
シャンパングラスツリーの組立方法。
【発明の詳細な説明】
【技術分野】
【０００１】
本発明は、クリスマスや結婚式といったセレモニーなどにおいて採用されるシャンパングラスツリーの組立方法に関するものである。
【背景技術】
【０００２】
シャンパングラスツリーは、複数のシャンパングラスをピラミッド状に積み上げて形成される。そして、シャンパングラスツリーの一番上のシャンパングラスからシャンパンを注ぐことにより、最上段のシャンパングラスにシャンパンが満たされ、更に最上段のシャンパングラスから溢れたシャンパンは２段目のシャンパングラスを満たす。更に、２段目のシャンパングラスから溢れたシャンパンは３段目のシャンパングラスを満たしていく。このように、最上段から最下段に向かって順々にシャンパンが溢流してグラスにシャンパンが満たされていく。このようなシャンパングラスツリーのシャンパングラスの積み上げ作業は、積み上げ段数が多いほど使用するシャンパングラスが多くなり、その位置合わせが難しく、安定して積み上げるのが難しい。
特許文献１には、シャンパンタワーに用いる用具が開示されている。特許文献１に開示されたシャンパンタワーでは、グラスタワーの各段外周に配置するグラス位置と対応する多段に形成した載置台及び各脚位置に対応するクリップ体を設けている。
【先行技術文献】
【特許文献】
【０００３】
【特許文献１】特開２０００−３４２４３６号公報
【発明の概要】
【発明が解決しようとする課題】
【０００４】
積み上げ段数の多いシャンパングラスツリーを組み立てる場合、バランスの良い安定したシャンパングラスツリーを得るために、シャンパングラスの位置合わせが重要となってくる。特許文献１に記載されたシャンパンタワーにおいては、積み上げ段数と同じ数の載置台とクリップ体が必要となるため、積み上げ段数を多くする場合、載置台とクリップ体といった用具を多数必要とする。
【０００５】
以上のような事情に鑑み、本発明の目的は、シャンパングラスの位置合わせを容易にかつ正確に行うことができるシャンパングラスツリーの組立方法を提供することにある。
【課題を解決するための手段】
【０００６】
上記目的を達成するため、本発明の一形態に係るシャンパングラスツリーの組立方法は、シャンパングラスユニットを形成し、パイプを立て、シャンパングラスユニットを配置し、板を配置し、シャンパングラスを積み上げ、液体を流す。
上記シャンパングラスユニットは、複数のシャンパングラスを水平方向に配置し、隣接するシャンパングラス同士を接着して形成する。
上記シャンパングラスユニットの配置は、上記パイプを囲むように複数の上記シャンパングラスユニットを水平方向に配置する。
上記板の配置は、上記パイプが通る貫通孔を有する板を、上記貫通孔に上記パイプを通し、上記水平方向に配置した複数のシャンパングラスユニット上に配置する。
上記シャンパングラスの積み上げは、上段にいくにつれシャンパングラスの数が減少するように、上記シャンパングラスユニットの配置と上記板の配置を繰り返す。
上記液体を上記パイプ内に通し、上記パイプの２つの端部のうち頂部側の端部から流す。
【発明の効果】
【０００７】
本発明によれば、シャンパングラスの位置合わせが容易かつ正確に行え、安定した多段のシャンパングラスツリーを組み立てることが出来る。
【図面の簡単な説明】
【０００８】
【図１】本発明の第１の実施形態に係る四角錐のシャンパングラスツリーの概略断面図である。
【図２】図１のシャンパングラスツリーの頂部付近の部分拡大図である。
【図３】図１のシャンパングラスツリーの組立工程（その１）を示す図である。
【図４】図１のシャンパングラスツリーの組立工程（その２）を示す図である。
【図５】図１のシャンパングラスツリーの組立工程（その３）を示し、２２段目のシャンパングラスユニットの配置を示す平面図である。
【図６】図１のシャンパングラスツリーの組立工程（その４）を示し、２１段目のシャンパングラスユニットの配置を示す平面図である。
【図７】図１のシャンパングラスツリーの組立工程（その５）を示し、２０段目のシャンパングラスユニットの配置を示す平面図である。
【図８】図１のシャンパングラスツリーの組立工程（その６）を示し、１９段目のシャンパングラスユニットの配置を示す平面図である。
【図９】図１のシャンパングラスツリーの組立工程（その７）を示し、１８段目のシャンパングラスユニットの配置を示す平面図である。
【図１０】図１のシャンパングラスツリーの組立工程（その８）を示し、１７段目のシャンパングラスユニットの配置を示す平面図である。
【図１１】図１のシャンパングラスツリーの組立工程（その９）を示し、１６段目のシャンパングラスユニットの配置を示す平面図である。
【図１２】図１のシャンパングラスツリーの組立工程（その１０）を示し、１５段目のシャンパングラスユニットの配置を示す平面図である。
【図１３】図１のシャンパングラスツリーの組立工程（その１１）を示し、１４段目のシャンパングラスユニットの配置を示す平面図である。
【図１４】図１のシャンパングラスツリーの組立工程（その１２）を示し、１３段目のシャンパングラスユニットの配置を示す平面図である。
【図１５】図１のシャンパングラスツリーの組立工程（その１３）を示し、１２段目のシャングラユニットの配置を示す平面図である。
【図１６】図１のシャンパングラスツリーの組立工程（その１４）を示し、１１段目のシャンパングラスユニットの配置を示す平面図である。
【図１７】図１のシャンパングラスツリーの組立工程（その１５）を示し、１０段目のシャンパングラスユニットの配置を示す平面図である。
【図１８】図１のシャンパングラスツリーの組立工程（その１６）を示し、９段目のシャンパングラスユニットの配置を示す平面図である。
【図１９】図１のシャンパングラスツリーの組立工程（その１７）を示し、８段目のシャンパングラスユニットの配置を示す平面図である。
【図２０】図１のシャンパングラスツリーの組立工程（その１８）を示し、７段目のシャンパングラスユニットの配置を示す平面図である。
【図２１】図１のシャンパングラスツリーの組立工程（その１９）を示し、６段目のシャンパングラスユニットの配置を示す平面図である。
【図２２】図１のシャンパングラスツリーの組立工程（その２０）を示し、５段目のシャンパングラスユニットの配置を示す平面図である。
【図２３】図１のシャンパングラスツリーの組立工程（その２１）を示し、４段目のシャンパングラスの配置を示す平面図である。
【図２４】図１のシャンパングラスツリーの組立工程（その２２）を示し、３段目のシャンパングラスの配置を示す平面図である。
【図２５】図１のシャンパングラスツリーの組立工程（その２３）を示し、２段目のシャンパングラスの配置を示す平面図である。
【図２６】図１のシャンパングラスツリーの組立工程（その２４）を示し、１段目のシャンパングラスの配置を示す平面図である。
【図２７】図１のシャンパングラスツリーの概略斜視図である。
【図２８】本発明の第２の実施形態に係る三角錐のシャンパングラスツリーの組立工程（その１）を示し、３３段目のシャンパングラスユニットの配置を示す平面図である。
【図２９】第２の実施形態に係るシャンパングラスツリーの組立工程（その２）を示し、３２段目のシャンパングラスユニットの配置を示す平面図である。
【図３０】第２の実施形態に係るシャンパングラスツリーの組立工程（その３）を示し、３１段目のシャンパングラスユニットの配置を示す平面図である。
【図３１】第２の実施形態に係るシャンパングラスツリーの組立工程（その４）を示し、３０段目のシャンパングラスユニットの配置を示す平面図である。
【図３２】第２の実施形態に係るシャンパングラスツリーの組立工程（その５）を示し、２９段目のシャンパングラスユニットの配置を示す平面図である。
【図３３】第２の実施形態に係るシャンパングラスツリーの組立工程（その６）を示し、２８段目のシャンパングラスユニットの配置を示す平面図である。
【図３４】第２の実施形態に係るシャンパングラスツリーの組立工程（その７）を示し、２７段目のシャンパングラスユニットの配置を示す平面図である。
【図３５】第２の実施形態に係るシャンパングラスツリーの組立工程（その８）を示し、２６段目のシャンパングラスユニットの配置を示す平面図である。
【図３６】第２の実施形態に係るシャンパングラスツリーの組立工程（その９）を示し、２５段目のシャンパングラスユニットの配置を示す平面図である。
【図３７】第２の実施形態に係るシャンパングラスツリーの組立工程（その１０）を示し、２４段目のシャンパングラスユニットの配置を示す平面図である。
【図３８】第２の実施形態に係るシャンパングラスツリーの組立工程（その１１）を示し、２３段目のシャンパングラスユニットの配置を示す平面図である。
【図３９】第２の実施形態に係るシャンパングラスツリーの組立工程（その１２）を示し、２２段目のシャンパングラスユニットの配置を示す平面図である。
【図４０】第２の実施形態に係るシャンパングラスツリーの組立工程（その１３）を示し、２１段目のシャンパングラスユニットの配置を示す平面図である。
【図４１】第２の実施形態に係るシャンパングラスツリーの組立工程（その１４）を示し、２０段目のシャンパングラスユニットの配置を示す平面図である。
【図４２】第２の実施形態に係るシャンパングラスツリーの組立工程（その１５）を示し、１９段目のシャンパングラスユニットの配置を示す平面図である。
【図４３】第２の実施形態に係るシャンパングラスツリーの組立工程（その１６）を示し、１８段目のシャンパングラスユニットの配置を示す平面図である。
【図４４】第２の実施形態に係るシャンパングラスツリーの組立工程（その１７）を示し、１７段目のシャンパングラスユニットの配置を示す平面図である。
【図４５】第２の実施形態に係るシャンパングラスツリーの組立工程（その１８）を示し、１６段目のシャンパングラスユニットの配置を示す平面図である。
【図４６】第２の実施形態に係るシャンパングラスツリーの組立工程（その１９）を示し、１５段目のシャンパングラスユニットの配置を示す平面図である。
【図４７】第２の実施形態に係るシャンパングラスツリーの組立工程（その２０）を示し、１４段目のシャンパングラスユニットの配置を示す平面図である。
【図４８】第２の実施形態に係るシャンパングラスツリーの組立工程（その２１）を示し、１３段目のシャンパングラスユニットの配置を示す平面図である。
【図４９】第２の実施形態に係るシャンパングラスツリーの組立工程（その２２）を示し、１２段目のシャンパングラスユニットの配置を示す平面図である。
【図５０】第２の実施形態に係るシャンパングラスツリーの組立工程（その２３）を示し、１１段目のシャンパングラスユニットの配置を示す平面図である。
【図５１】第２の実施形態に係るシャンパングラスツリーの組立工程（その２４）を示し、１０段目のシャンパングラスユニットの配置を示す平面図である。
【図５２】第２の実施形態に係るシャンパングラスツリーの組立工程（その２５）を示し、９段目のシャンパングラスユニットの配置を示す平面図である。
【図５３】第２の実施形態に係るシャンパングラスツリーの組立工程（その２６）を示し、８段目のシャンパングラスユニットの配置を示す平面図である。
【図５４】第２の実施形態に係るシャンパングラスツリーの組立工程（その２７）を示し、７段目のシャンパングラスユニットの配置を示す平面図である。
【図５５】第２の実施形態に係るシャンパングラスツリーの組立工程（その２８）を示し、６段目のシャンパングラスユニットの配置を示す平面図である。
【図５６】第２の実施形態に係るシャンパングラスツリーの組立工程（その２９）を示し、５段目のシャンパングラスユニットの配置を示す平面図である。
【図５７】第２の実施形態に係るシャンパングラスツリーの組立工程（その３０）を示し、４段目のシャンパングラスユニットの配置を示す平面図である。
【図５８】第２の実施形態に係るシャンパングラスツリーの組立工程（その３１）を示し、３段目のシャンパングラスの配置を示す平面図である。
【図５９】第２の実施形態に係るシャンパングラスツリーの組立工程（その３２）を示し、２段目のシャンパングラスの配置を示す平面図である。
【図６０】第２の実施形態に係るシャンパングラスツリーの組立工程（その３３）を示し、１段目のシャンパングラスの配置を示す平面図である。
【図６１】変形例に係る四角錐のシャンパングラスツリーの２２段目のシャンパングラスの配置を示す平面図である。
【図６２】変形例に係る四角錐のシャンパングラスツリーの２１段目のシャンパングラスの配置を示す平面図である。
【図６３】変形例に係る四角錐のシャンパングラスツリーの２０段目のシャンパングラスの配置を示す平面図である。
【発明を実施するための形態】
【０００９】
本発明の一形態に係るシャンパングラスツリーの組立方法は、シャンパングラスユニットを形成し、パイプを立て、シャンパングラスユニットを配置し、板を配置し、シャンパングラスを積み上げ、液体を流す。
上記シャンパングラスユニットは、複数のシャンパングラスを水平方向に配置し、隣接するシャンパングラス同士を接着して形成する。
上記シャンパングラスユニットの配置は、上記パイプを囲むように複数の上記シャンパングラスユニットを水平方向に配置する。
上記板の配置は、上記パイプが通る貫通孔を有する板を、上記貫通孔に上記パイプを通し、上記水平方向に配置した複数のシャンパングラスユニット上に配置する。
上記シャンパングラスの積み上げは、上段にいくにつれシャンパングラスの数が減少するように、上記シャンパングラスユニットの配置と上記板の配置を繰り返す。
上記液体を上記パイプ内に通し、上記パイプの２つの端部のうち頂部側の端部から流す。
【００１０】
上記シャンパングラスツリーの組立方法においては、予め複数のシャンパングラスを接着してシャンパングラスユニットを形成し、このシャンパングラスユニットを配置して組み立てる。これにより、シャンパングラスユニット内のシャンパングラス同士は、ユニット作成時点で既に位置合わせされて接着されているので、シャンパングラスユニット間の位置合わせを正確に行えば、全てのシャンパングラスの位置合わせが行われたことになる。従って、複数のシャンパングラスを個々に位置合わせするよりも、容易かつ正確にシャンパングラスの位置合わせを行うことができる。また、特許文献１において開示される載置台及びクリップ体といった特別な用具を用いることなく、多段のシャンパングラスツリーを安定して組み立てることができる。
また、各段の間に板を設けることにより、安定してシャンパングラスを積み上げることができる。すなわち、シャンパングラスユニット間で高さのばらつきがあっても、板を設けることにより、該板上に配置するシャンパングラスユニットは、水平面に配置することとなり、安定してシャンパングラスを積み上げることができる。
【００１１】
上記板は、該板の直下に配置される複数の上記シャンパングラスのうち外側に配置されるシャンパングラスの開口を部分的に塞いでもよい。
これにより、パイプから流れる液体は、シャンパングラスツリーの各段の外周部に配置されるシャンパングラスのみに注がれる。従って、シャンパングラスツリーの中央部に過度の荷重がかかることなく、過荷重によるシャンパングラスの破損、延いてはシャンパングラスツリーの倒壊を防止できる。すなわち、上段にいくに従ってシャンパングラスの数が減少するシャンパングラスツリーでは、中央部が最もシャンパングラスの数が多い構造となる。このようなシャンパングラスツリーを構成するシャンパングラス全てに液体が注がれると、液体によりシャンパングラスツリーの中央部に過度の荷重がかかり、シャンパングラスが破損し、シャンパングラスツリーが倒壊する恐れがある。これに対し、上記シャンパングラスツリーでは、各段の外周部に配置されるシャンパングラスのみ液体が注がれるので、シャンパングラスツリーの倒壊を防止することができ、安定したシャンパングラスツリーが得られる。
【００１２】
上記シャンパングラスユニットと該シャンパングラスユニットと接する上記板とを接着してもよい。
【００１３】
上記シャンパングラスツリーは多角錐であってもよい。
【００１４】
以下、図面を参照しながら、本発明の実施形態を説明する。
［第１の実施形態］
【００１５】
（シャンパングラスツリーの構造）
図１は、本発明の一実施形態に係るシャンパングラスツリーの断面図である。
【００１６】
図１に示すように、シャンパングラスツリー１００は、複数のシャンパングラス４０１〜４２２が例えば２２段積層された四角錐状である。各段では、その平面形状が正方形となるようにシャンパングラスが配置される。
ここで、本発明における「シャンパングラス」とは、広義に解釈されるものであり、ガラス製のシャンパングラスはもとより、例えばプラスチックの材料からなる本来のシャンパングラスに模したものも含まれ、さらには例えば後述するようにステム及びフットがない形態のシャンパングラスなども含まれる。シャンパングラスの材料として、プラスチックを用いることで、軽量で割れなどが発生し難いシャンパングラスツリー１００を構成することができる。
シャンパングラスツリー１００は、土台１０と、支持板６０〜６７（このうち６４〜６７は図４参照）と、シャンパングラス４０１〜４２２と、隣り合う段の間に配置されるアクリル板３０２〜３２１と、パイプ２０とを有する。
シャンパングラスツリー１００は、ポンプ１３と、容器１１と、液体１２と、液体受け１４とを有する。
【００１７】
図３は、土台１０の斜視図である。
土台１０は、図３に示すように、正方形の枠状の天板と脚２０本を備える。
【００１８】
図４は、土台１０上に８枚の支持板６０〜６７が配置された状態を示す斜視図である。
図１及び図３に示すように、支持板６０〜６７は、土台１０上に配置される。支持板６０〜６７の上には、積層された複数のシャンパングラス４０１〜４２２が載置される。
図４に示すように、８枚の支持板６０〜６７のうち１枚の支持板６６には、パイプ２０を通すパイプ用貫通孔７０と、支持板６０〜６７上に流れ出た液体が土台１０の下方に流れるようにするための複数の貫通孔７１とが設けられている。
【００１９】
図１に戻って、各シャンパングラスは、シャンパンなどの液体が入るカップ、手で持つ部分のステム、シャンパングラスを支える底部分のフットからなる。詳細については後述するが、最上段のシャンパングラス４０１のみ、ステム及びフットがなく、シャンパングラス４０１にはカップの底部を貫通してパイプ２０が設けられており、このパイプ２０が観察者から見るとステムのように見える。
シャンパングラス４０１〜４２２は、上段にいくにつれシャンパングラスの数が減少するように積み上げられている。ここでは、シャンパングラスには４００番台を付し、１段目のシャンパングラスには符号４０１、２段目のシャンパングラスには符号４０２、２２段目のシャンパングラスには符号４２２というように、段数の数と符号の下二桁の数とを一致させている。
【００２０】
最上段の１段目にはシャンパングラスが１個配置される。２段目以降、シャンパングラスツリー１００を上部から見たとき正方形状となるように複数のシャンパングラスが配置される。下段に向かって１段下がる毎に、正方形の一辺に配置されるシャンパングラスの数が１個ずつ増えていく。最下段である２２段目には、一辺に配置されるシャンパングラスは２２個となる。
詳細については後述するが、５段目以降の段では、パイプが通る部分にはシャンパングラスは配置されない。また、６段目以降の段では、複数のシャンパングラスを接着して形成されたシャンパングラスユニットを用いてシャンパングラスを配置しており、５段目以前の段では、シャンパングラスユニットを使わずに、シャンパングラスを用いている。
【００２１】
アクリル板３０２〜３２１は、図面上下方向で隣り合う段間にそれぞれ設けられ、平面形状が略正方形状である。ここでは、アクリル板には３００番台を付し、２段目のシャンパングラスを支持するアクリル板には符号３０２、３段目のシャンパングラスを支持するアクリル板には符号３０３、２１段目のシャンパングラスを支持するアクリル板には符号３２１というように、該アクリル板が支持するシャンパングラスの段数の数と符号の下二桁の数とを一致させている。
アクリル板３０２〜３０４には孔が設けられていない。アクリル板３０５〜３２１には、パイプ２０が通る貫通孔３０５ａ〜３２１ａが設けられている。パイプ２０と各アクリル板３０５〜３２１との間にはパッキンが設けられ、アクリル板３０５〜３２１上に流れ出た液体が孔３０５ａ〜３２１ａを伝って下段に流れ込まないようになっている。これにより、孔３０５ａ〜３２１ａ近傍に配置されるシャンパングラスに液体が流れ込まない。
図２は、パイプ２０の頂部側の端部付近の拡大図である。
図１及び図２に示すように、アクリル板３０２〜３２１は、該アクリル板の直下に配置される複数のシャンパングラスのうち外側に配置されるシャンパングラスの開口を部分的に塞ぐように配置される。
【００２２】
パイプ２０は、最上段のシャンパングラス４０１のカップに供給する液体が通る管である。
パイプ２０は、シャンパングラスツリー１００の内部に垂直方向に延在して設けられる。
本実施形態では、土台１０の脚がシャンパングラスツリー１００の中央部に位置するため、液体が溜められた容器１１を土台１０の下方中央部に設置できず、中央部よりずれた位置に容器１１を設置している。そのため、パイプ２０は、途中で曲がって配管される。ここでは、パイプ２０は、例えば２０段まではシャンパングラスツリー１００の中心に沿って真直ぐに延び、２０段目で横に延び、２１段以降は下方に向かって真直ぐに延びた形状となっている。
【００２３】
図２に示すように、パイプ２０の２つの端部のうち頂部側の端部は、最上段のシャンパングラス４０１のカップの底部を貫通し、カップ内に位置する。パイプ２０の底部側の端部は容器１１内に配置される。
パイプ２０の頂部側の端部の上面２１は塞がれている。パイプ２０の頂部側の端部の側面には、横穴２２が複数設けられており、下方からポンプによって汲み上げられ、パイプ２０内を通ってきた液体は、横穴２２からパイプ２０の外へ流れ出る構造となっている。
パイプ２０は、つなぎ目のない１本のパイプであってもよいし、短い複数本のパイプをつなぎ合わせてパイプ２０を構成してもよい。ここでは、組立作業性を良くするために、複数本のパイプをつなぎ合わせて１本のパイプ２０を構成する。
パイプ２０は、２段目の２×２で配列された４つのシャンパングラスによって形成される中央部の空隙を通っており、パイプ２０の２段目付近には、おもし２３が設けられている。
【００２４】
図２に示すように、パイプ２０の横穴２２から流れ出る液体は、シャンパングラス４０１のカップを満たし、更に液体がパイプ２０から流れ出ることにより、シャンパングラス４０１から溢れでる。
溢れ出た液体は直下の段、ここでは２段目のシャンパングラス４０２に流れ込む。液体は、２段目の外側に配置される４つのシャンパングラス４０２を満たし、更に液体がパイプ２０から流れ出ることにより、シャンパングラス４０２から溢れ出る。
溢れ出た液体は直下の段、ここでは３段目の外側に配置される８個のシャンパングラス４０３に流れ込む。各段のシャンパングラスの配置については後述で詳細に説明するが、３段目には、一辺に３個の配列で、かつパイプ２０が通る位置にはシャンパングラスを配置していないので、計８個のシャンパングラス４０３が配置される。
３段目のシャンパングラス４０３のカップを満たした液体は、更に、シャンパングラス４０３のカップから溢れでる。
【００２５】
溢れ出た液体は、４段目の外側に配置される１２個のシャンパングラス４０４に流れ込む。４段目には、一辺に４個の配列で計１６個のシャンパングラス４０４が配置される。これら１６個のシャンパングラス４０４のうち外側に配置される１２個を除く中央部に位置する４個のシャンパングラス４０４は、アクリル板３０２によってカップの開口が完全に塞がれている。一方、外側に配置される１２個のシャンパングラス４０４は、そのカップの開口を、その直上のアクリル板３０３によって部分的に塞がれている。３段目のシャンパングラス４０３から溢れ出た液体は、アクリル板３０３によって塞がれていない開口からカップに流れこむ。
５段目以降においても同様に、各段に配置された複数のシャンパングラスのうち、外側に配置されるシャンパングラスを除いたシャンパングラスは、アクリル板によって開口が完全に塞がれている。一方、外側に配置されるシャンパングラスの開口はアクリル板によって部分的に塞がれている。
以降、上段のシャンパングラスから溢れた液体をその直下の段の外側に配置されるシャンパングラスが受け、そのカップが液体で満たされ、更に液体が溢れ出て、その溢れ出た液体を更にその直下の段の外側に配置されるシャンパングラスが受け、を繰り返して液体が最上段から最下段に向かって流れる。
【００２６】
図１に戻って、容器１１は、液体１２を収容するものであり、貫通孔７０及び７１を有する支持板６６の下方に設置される。
ポンプ１３は、容器１１内の液体１２を吸い上げ、パイプ２０内に通して、パイプ２０の頂部側の端部からパイプ２０外に液体を流すものである。
液体１２には、例えばシャンパンや演出用に着色された液体などが用いられる。
【００２７】
液体受け１４は、互いに対向する大きさの異なる２つの口径を有する漏斗である。液体受け１４は口径が大きい方を上側、口径が小さい方を下側にして配置される。
液体受け１４は、最下段である２２段目のシャンパングラス４２２が配置される支持板６６と容器１１との間に設けられる。
液体受け１４は、支持板６０〜６７上に流れ出た液体を受けて、容器１１内に流すものである。支持板６０〜６７上に流れ出た液体は、支持板６６の貫通孔７１を通って容器１１内に収容される。
【００２８】
次に、上記シャンパングラスツリーの組立方法について図３〜図２７を用いて説明する。図面中、一点鎖線で囲まれた領域にあるシャンパングラスが接着されてシャンパングラスユニットが形成される。
（シャンパングラスツリーの組立方法）
まず、図３に示すように、土台１０を設置する。
次に、図４に示すように、土台１０の上に８枚の支持板６０〜６７を配置する。
【００２９】
次に、支持板６６の下方に、液体受け１４を設け、更に、液体１２及びポンプ１３が収容された容器１１を支持板６６に設けられた貫通孔７０及び孔７１に対応するように設ける。
次に、パイプ２０を支持板６６に設けられた貫通孔７０に通して、立てる。上述のようにパイプ２０は、複数のパイプをつなぎ合わせて構成されるが、以下、複数のパイプのつなぎ合わせの工程の説明については省略する。
【００３０】
★頂いた資料では、四角錐のツリーでは中央部にパイプが通っている場合の配置（パイプが真直ぐ）しか記載してありませんでした。しかしながら、四角錐のツリーの場合もパイプは曲がるということでしたので、２２段〜１９段のユニットの配置をそれぞれ図５〜図７に示すものとして実施例を記載しました。このようなユニットの配置でよいかご確認をお願い致します。★
次に、複数のシャンパングラスを水平方向に配置し、隣接するシャンパングラス同士を接着剤で接着して、シャンパングラスユニットを作成する。以下、シャンパングラスユニットを単にユニットと表現する場合もある。
図５は、２２段目のシャンパングラスユニットの配置を示す。２２段目には、一辺に２２個のシャンパングラスが配置される。
２２段目に配置するシャンパングラスユニット５２２として、４×５の配列のユニットを７個、４×４の配列のユニットを１２個、３×５の配列のユニットを４個、３×４の配列のユニットを７個、２×２の配列のユニットを１個、形成する。図５において、シャンパングラス４２２を設けないシャンパングラス４個分の領域８２２にパイプ２０が配置される。
次に、各シャンパングラスユニット５２２を、図５に示すように、パイプ２０を囲むように水平方向に配置し、２２段目を形成する。
尚、シャンパングラスユニットには５００番台を付し、２２段目に用いるシャンパングラスユニットには符号５２２、２１段目に用いるシャンパングラスユニットには符号５２１というように、段数の数と符号の下二桁の数とを一致させている。
また、各段において、シャンパングラスを設けない領域には符号８００番台を付し、２２段目のシャンパングラスを設けない領域には符号８２２、２１段目のシャンパングラスを設けない領域には８２１というように、段数の数と符号の下二桁の数とを一致させている。
【００３１】
次に、貫通孔５２１ａを有するアクリル板５２１を、貫通孔５２１ａにパイプ２０を通し、２２段目として水平方向に配置した複数のシャンパングラスユニット５２２上に配置する。アクリル板５２１は、その外縁部が、２２段目に配置されるシャンパングラスのうち外側に配置される各シャンパングラスに部分的に重なるように配置される。
【００３２】
図６は、２１段目のシャンパングラスユニットの配置を示す。
２１段目に配置するシャンパングラスユニット５２１として、４×５の配列のユニットを９個、４×４の配列のユニットを８個、３×５の配列のユニットを１個、３×４の配列のユニットを６個、形成する。図６において、シャンパングラス４２１を設けないシャンパングラス１個分の領域８２１にパイプ２０が配置される。
各シャンパングラスユニット５２１を、図６に示すように、パイプ２０を囲むように水平方向に配置し２１段目を形成する。
【００３３】
次に、貫通孔５２０ａを有するアクリル板５２０を、貫通孔５２０ａにパイプ２０を通し、２１段目の複数のシャンパングラスユニット５２１上に配置する。
【００３４】
図７は、２０段目のシャンパングラスユニットの配置を示す。
２０段に配置するシャンパングラスユニット５２０として、４×５の配列のユニットを１６個、４×４の配列のユニットを３個、３×４の配列のユニットを２個、２×２の配列のユニットを１個、形成する。図７において、シャンパングラス４２０を設けないシャンパングラス４個分の領域にパイプ２０が配置される。
各シャンパングラスユニット５２０を、図６に示すように、パイプ２０を囲むように配置し２０段目を形成する。
【００３５】
２２段〜２０段それぞれに設けられるシャンパングラスを設けない領域８２２〜８２０は、平面的にみて重なりあっており、シャンパングラスツリーの中央からずれて位置する。
【００３６】
次に、貫通孔５１９ａを有するアクリル板５１９を、貫通孔５１９ａにパイプ２０を通し、２０段に配置される複数のシャンパングラスユニット５２０上に配置する。以下、アクリル板の配置は同様であるため、詳細な説明は省略する。
【００３７】
図８は、１９段目のシャンパングラスユニットの配置を示す。
１９段目に配置するシャンパングラスユニット５１９として、４×５の配列のユニットを１２個、３×５の配列のユニットを８個、形成する。図８において、シャンパングラス４１９を設けないシャンパングラス１個分の領域にパイプ２０が配置される。１９段でパイプ２０がシャンパングラスツリー１００の中央部に位置するようにパイプ２０は曲がって構成される。
各シャンパングラスユニット５１９を、図８に示すように、パイプ２０を囲むように配置し１９段目を形成する。
次に、アクリル板５１８を１９段目に配置される複数のシャンパングラスユニット５１９上に配置する。
【００３８】
図９は、１８段目のシャンパングラスユニットの配置を示す。
１８段目に配置するシャンパングラスユニット５１８として、４×５の配列のユニットを１６個、形成する。図９において、シャンパングラス４１８を設けないシャンパングラス４個分の領域にパイプ２０が配置される。
各シャンパングラスユニット５１８を、図９に示すように、パイプ２０を囲むように配置し１８段目を形成する。
次に、アクリル板５１７を１８段目に配置される複数のシャンパングラスユニット５１８上に配置する。
【００３９】
以下、同様に、シャンパングラスユニットの配置工程とアクリル板の配置工程とを繰り返して、シャンパングラスを積み上げる。以下、アクリル板の配置工程については説明を省略する。
図１０に示すように、１７段目では、８個の４×５の配列のシャンパングラスユニット５１７と、８個の４×４の配列のシャンパングラスユニット５１７を、シャンパングラス４１７を設けない領域８１７に配置されるパイプ２０を囲んで配置する。
図１１に示すように、１６段目では、各々４個の、４×５の配列のシャンパングラスユニット５１６と、４×４の配列のシャンパングラスユニット５１６と、３×５の配列のシャンパングラスユニット５１６と、３×４の配列のシャンパングラスユニット５１６を、シャンパングラス４１６を設けない領域８１６に配置されるパイプ２０を囲んで配置する。
【００４０】
図１２に示すように、１５段目では、１個の、５×５の配列で中央部に位置する１個のシャンパングラスがない状態のシャンパングラスユニット５１５と、４個の４×５の配列のシャンパングラスユニット５１５と、８個の３×５の配列のシャンパングラスユニット５１５を、シャンパングラス４１５を設けない領域８１５に配置されるパイプ２０を囲んで配置する。
図１３に示すように、１４段目では、１６個の３×４の配列のシャンパングラスユニット５１４を、シャンパングラス４１４を設けない領域８１４に配置されるパイプ２０を囲んで配置する。
【００４１】
図１４に示すように、１３段目では、１個の、５×５の配列で中央部に位置する１個のシャンパングラスがない状態のシャンパングラスユニット５１３と、４個の４×５の配列のシャンパングラスユニット５１３と、４個の４×４の配列のシャンパングラスユニット５１３を、シャンパングラス４１３を設けない領域８１３に配置されるパイプ２０を囲んで配置する。
図１５に示すように、１２段目では、４個の４×５の配列のシャンパングラスユニット５１２と、４個の３×５の配列のシャンパングラスユニット５１２とを、シャンパングラス４１２を設けない領域８１２に配置されるパイプ２０を囲んで配置する。
【００４２】
図１６に示すように、１１段目では、８個の３×５の配列のシャンパングラスユニット５１１を、シャンパングラス４１１を設けない領域８１１に配置されるパイプ２０を囲んで配置する。
図１７に示すように、１０段目では、８個の３×４の配列のシャンパングラスユニット５１０を、シャンパングラス４１０を設けない領域８１０に配置されるパイプ２０を囲んで配置する。
【００４３】
図１８に示すように、９段目では、４個の４×５の配列のシャンパングラスユニット５０９を、シャンパングラス４０９を設けない領域８０９に配置されるパイプ２０を囲んで配置する。
図１９に示すように、８段目では、４個の３×５の配列のシャンパングラスユニット５０８を、シャンパングラス４０８を設けない領域８０８に配置されるパイプ２０を囲んで配置する。
【００４４】
図２０に示すように、７段目では、４個の３×４の配列のシャンパングラスユニット５０７を、シャンパングラス４０７を設けない領域８０７に配置されるパイプ２０を囲んで配置する。
図２１に示すように、６段目では、４個の２×４の配列のシャンパングラスユニット５０６を、シャンパングラス４０６を設けない領域８０６に配置されるパイプ２０を囲んで配置する。
【００４５】
５段目以前の段では、シャンパングラスユニットを用いず、シャンパングラスを１つ１つ配置している。しかしながら、これに限定されず５段目以前の段においても、複数のシャンパングラスを接着して形成されるシャンパングラスユニットを用いてもよい。
【００４６】
図２２に示すように、５段目では、５×５の配列で中央部に位置する１個のシャンパングラスがない配列で、２４個のシャンパングラス４０５を、シャンパングラス４０５を設けない領域８０５に配置されるパイプ２０を囲んで配置する。尚、上述したように、５×５の配列で中央部に位置する１個のシャンパングラスがない状態のシャンパングラスユニットを形成し、これを５段目として用いてもよい。
【００４７】
図２３に示すように、４段目では、４×４の配列で、１６個のシャンパングラス４０４を、４×４の配列のシャンパングラスによって形成される中央部の隙間に配置されるパイプ２０を囲んで配置する。
図２４に示すように、３段目では、３×３の配列で中央部に位置する１個のシャンパングラスがない配列で、８個のシャンパングラス４０３を、シャンパングラス４０３を設けない領域８０３に配置されるパイプ２０を囲んで配置する。
★資料では、中央部にもシャンパングラスが設けられていましたが、この状態ではパイプが通らないと思い、中央部の１個はおかないこととしました。図２４をご確認願います。★
【００４８】
図２５に示すように、２段目では、２×２の配列で、４個のシャンパングラス４０２を、２×２の配列のシャンパングラスによって形成される中央部の隙間に配置されるパイプ２０を囲んで配置する。
１９段目〜５段目、３段目それぞれに設けられるシャンパングラスを設けない領域８１９〜８０５、８０３、及び、４段目、２段目それぞれの平面から見た中央部に位置するシャンパングラスによって形成される隙間は、平面的にみて重なりあっており、シャンパングラスツリー１００の中心に位置する。
【００４９】
図２６に示すように、１段目にはシャンパングラス４０１が１個配置される。
このシャンパングラス４０１は、図２に示すように、パイプ２０の先端部がシャンパングラス４０１のカップに突き刺さった形状をしている。パイプ２０は、例えば、おもし２３を境に先端部が着脱可能となっている。この先端部はシャンパングラス４０１のカップに突き刺さっている。２段目のシャンパングラス４０２を配置するまでは、この先端部は離脱された状態となっており、２段目のシャンパングラス４０２を配置した後、先端部を着けることにより、１段目のシャンパングラス４０１が配置され、かつ、パイプ２０が完成される。
【００５０】
以上により、図２７に示すように、シャンパングラスツリー１００が組み立てられる。尚、図２７においては、アクリル板の図示は省略している。
【００５１】
ポンプ１３を稼働し、液体１２をパイプ２０の頂部側の端部から流すことにより、組み立てられたシャンパングラスツリー１００の最上段に位置するシャンパングラス４０１に液体が満たされ、更にシャンパングラス４０１より溢れた液体は、最上段から最下段に向かって順に各段の外側に配置されるシャンパングラスを満たし、流れていく。更に、ライトアップすることにより、幻想的な演出を行うことができる。
【００５２】
次に、第２の実施形態に係るシャンパングラスツリーの組立方法について説明する。
［第２の実施形態］
第２の実施形態に係るシャンパングラスツリーの組立方法について説明する。第１の実施形態では四角錐のシャンパングラスツリーを例にあげたが、本実施形態では三角錐のシャンパングラスツリーの組立方法を例にあげて説明する。尚、本発明は、シャンパングラスツリーの形状が四角錐及び三角錐に限定されるものではない。
以下、図２８〜図６０を用いて説明するが、シャンパングラスユニットの配置工程とアクリル板の配置工程を交互に行ってシャンパングラスを複数段積み上げる点は、第１の実施形態と同様である。また、シャンパングラスツリーの内部にパイプを設置する点も同じである。
第２の実施形態は、第１の実施形態と比較して、各段のシャンパングラスの配置が異なる点、及び、隣接するアクリル板とシャンパングラスとを接着する点が主に異なる。以下、各段のシャンパングラスの配置について説明し、第１の実施形態と同様の構成については説明を省略する。
【００５３】
第２の実施形態においては、シャンパングラスを３３段積み重ねてシャンパングラスツリーを組み立てる。
各段では、その平面形状が正三角形状となるようにシャンパングラスが配置される。例えば、３３段目では、一辺に３３個のシャンパングラスが配置された正三角形状にシャンパングラス１４３３が配置される。各段で、一辺に配置されるシャンパングラスの数と、段数の数とは一致する。また、各段で、パイプ２０が通る領域にシャンパングラスが配置されないように、更に、複数のシャンパングラスユニットを組み合わせて全体の平面形状が正三角形状となるように、シャンパングラスユニットが配置される。
【００５４】
隣接する段の間には正三角形状のアクリル板が配置され、アクリル板と該アクリル板と接触するシャンパングラスとは接着されている。アクリル板とシャンパングラスとを接着することにより、倒壊を防ぐことが出来る。尚、第１の実施形態の四角錐のシャンパングラスツリーにおいてもアクリル板とシャンパングラスとを接着してもよいのは言うまでもない。
【００５５】
積み上げられるシャンパングラス１４０１〜１４３３は、上段にいくにつれシャンパングラスの数が減少するように積み上げられる。ここでは、シャンパングラスには１４００番台を付し、最上段である１段目のシャンパングラスには符号１４０１、２段目のシャンパングラスには符号１４０２、最下段である３３段目のシャンパングラスには符号１４３３というように、段数の数と符号の下二桁の数とを一致させている。
【００５６】
以下、組立方法について説明する。
まず、第１の実施形態と同様に、土台、支持台、パイプ等を設置する。第２の実施形態におけるシャンパングラスツリーでもパイプは途中が曲がった形状をしている。
【００５７】
次に、第１の実施形態と同様に、複数のシャンパングラスを水平方向に配置し、隣接するシャンパングラス同士を接着剤で接着して、シャンパングラスユニットを作成する。第１の実施形態においては平面形状が矩形状のユニットを作成したが、第２の実施形態においては平面形状が正三角形状のユニットを作成している。
【００５８】
図２８は、３３段目のシャンパングラスユニットの配置を示す。
３３段目に配置するシャンパングラスユニット１５３３として、１辺に６個のシャンパングラスが並ぶようにシャンパングラス１４３３を用いて形成された正三角形状又は略正三角形状のシャンパングラスユニット（以下、１辺が６個の正三角形状のシャンパングラスユニットと呼ぶ。）１５３３を７個、１辺に５個のシャンパングラスが並ぶようにシャンパングラス１４３３を用いて形成された正三角形状又は略正三角形状のシャンパングラスユニット１５３３（以下、１辺が５個の正三角形状又は略正三角形状のシャンパングラスユニットと呼ぶ。）を２７個、形成する。ここで、略正三角形状のシャンパングラスユニットとは、正三角形状に配列されたシャンパングラスから１部のシャンパングラスが取り除かれた形状のものをいう。更に、１辺に４個のシャンパングラスが並ぶように計１０個のシャンパングラス１４３３を用いて形成された正三角形状のシャンパングラスユニット（以下、１辺が４個の正三角形状のシャンパングラスユニットと呼ぶ。）１５３３を１個、１辺に３個のシャンパングラスが並ぶように計６個のシャンパングラス１４３３を用いて形成された正三角形状のシャンパングラスユニット１５３３（以下、１辺が３個の正三角形状のシャンパングラスユニットと呼ぶ。）を１個、形成する。この他、シャンパングラスを１個用意する。図２８において、シャンパングラス１４３３を設けない領域１８３３はシャンパングラス３個分の領域であり、この領域にパイプが配置される。
【００５９】
各シャンパングラスユニット１５３３を、図２８に示すように、パイプを囲むように配置し、３３段目を形成する。
尚、シャンパングラスユニットには１５００番台を付し、３３段目に用いるシャンパングラスユニットには符号１５３３、３２段目に用いるシャンパングラスユニットには符号１５３２というように、段数の数と符号下二桁の数字とを一致させている。
また、各段において、シャンパングラスを設けない領域には符号１８００番台を付し、３３段目に設けられるシャンパングラスを設けない領域には符号１８３３、３２段目に設けられるシャンパングラスを設けない領域には１８３２というように、段数の数と符号下二桁の数字とを一致させている。
【００６０】
図２９に示すように、３２段目では、１辺が６個の正三角形状のシャンパングラスユニット１５３２を３個と、１辺が５個の正三角形状又は略正三角形状のシャンパングラスユニット１５３２を２９個と、１辺が４個の正三角形状のシャンパングラスユニット１５３２を２個と、１辺が３個の正三角形状のシャンパングラスユニット１５３２を１個とを、シャンパングラス１４３２を設けない領域１８３２に配置されるパイプを囲んで配置する。シャンパングラス１４３２を設けない領域１８３２は、シャンパングラス３個分の領域である。
【００６１】
図３０に示すように、３１段目では、１辺が６個の正三角形状のシャンパングラスユニット１５３１を１個と、１辺が５個の正三角形状又は略正三角形状のシャンパングラスユニット１５３１を３０個と、１辺が４個の正三角形状のシャンパングラスユニット１５３１を２個と、１辺が３個の正三角形状のシャンパングラスユニット１５３１を４個とを、シャンパングラス１４３１を設けない領域１８３１に配置されるパイプを囲んで配置する。シャンパングラス１４３１を設けない領域１８３１は、シャンパングラス１個分の領域である。
【００６２】
図３１に示すように、３０段目では、１辺が６個の正三角形状又は略正三角形状のシャンパングラスユニット１５３０を１９個と、１辺が５個の正三角形状又は略正三角形状のシャンパングラスユニット１５３０を２個と、１辺が４個の正三角形状又は略正三角形状のシャンパングラスユニット１５３０を４個とを、シャンパングラス１４３０を設けない領域１８３０に配置されるパイプを囲んで配置する。シャンパングラス１４３０を設けない領域１８３０は、シャンパングラス３個分の領域である。
【００６３】
図３２に示すように、２９段目では、１辺が６個の正三角形状又は略正三角形状のシャンパングラスユニット１５２９を１０個と、１辺が５個の正三角形状又は略正三角形状のシャンパングラスユニット１５２９を１５個とを、シャンパングラス１４２９を設けない領域１８２９に配置されるパイプを囲んで配置する。シャンパングラス１４２９を設けない領域１８２９は、シャンパングラス３個分の領域である。
【００６４】
図３３に示すように、２８段目では、１辺が６個の正三角形状のシャンパングラスユニット１５２８を６個と、１辺が５個の正三角形状又は略正三角形状のシャンパングラスユニット１５２８を１８個と、１辺が４個の正三角形状のシャンパングラスユニット１５２８を１個とを、シャンパングラス１４２８を設けない領域１８２８に配置されるパイプを囲んで配置する。シャンパングラス１４２８を設けない領域１８２８は、シャンパングラス１個分の領域である。
【００６５】
図３４に示すように、２７段目では、１辺が６個の正三角形状のシャンパングラスユニット１５２７を３個と、１辺が５個の正三角形状又は略正三角形状のシャンパングラスユニット１５２７を２０個と、１辺が４個の正三角形状のシャンパングラスユニット１５２７を１個と、１辺が３個の正三角形状のシャンパングラスユニット１５２７を１個とを、シャンパングラス１４２７を設けない領域１８２７に配置されるパイプを囲んで配置する。シャンパングラス１４２７を設けない領域１８２７は、シャンパングラス３個分の領域である。
【００６６】
図３５に示すように、２６段目では、１辺が６個の正三角形状のシャンパングラスユニット１５２６を１個と、１辺が５個の正三角形状又は略正三角形状のシャンパングラスユニット１５２６を１９個と、１辺が４個の正三角形状又は略正三角形状のシャンパングラスユニット１５２６を４個と、１辺が３個の正三角形状のシャンパングラスユニット１５２６を１個とを、シャンパングラス１４２６を設けない領域１８２６に配置されるパイプを囲んで配置する。シャンパングラス１４２６を設けない領域１８２６は、シャンパングラス３個分の領域である。
【００６７】
図３６に示すように、２５段目では、１辺が５個の正三角形状又は略正三角形状のシャンパングラスユニット１５２５を１８個と、１辺が４個の正三角形状のシャンパングラスユニット１５２５を４個と、１辺が３個の正三角形状のシャンパングラスユニット１５２５を３個とを、シャンパングラス１４２５を設けない領域１８２５に配置されるパイプを囲んで配置する。シャンパングラス１４２５を設けない領域１８２５は、シャンパングラス１個分の領域である。
【００６８】
図３７に示すように、２４段目では、１辺が６個の略正三角形状のシャンパングラスユニット１５２４を１個と、１辺が５個の正三角形状又は略正三角形状のシャンパングラスユニット１５２４を４個と、１辺が４個の正三角形状のシャンパングラスユニット１５２４を１個とを、シャンパングラス１４２４を設けない領域１８２４に配置されるパイプを囲んで配置する。シャンパングラス１４２４を設けない領域１８２４は、シャンパングラス３個分の領域である。
【００６９】
図３８に示すように、２３段目では、１辺が６個の正三角形状のシャンパングラスユニット１５２３を６個と、１辺が５個の正三角形状又は略正三角形状のシャンパングラスユニット１５２３を１０個とを、シャンパングラス１４２３を設けない領域１８２３に配置されるパイプを囲んで配置する。シャンパングラス１４２３を設けない領域１８２３は、シャンパングラス３個分の領域である。
【００７０】
図３９に示すように、２２段目では、１辺が６個の正三角形状のシャンパングラスユニット１５２２を３個と、１辺が５個の正三角形状又は略正三角形状のシャンパングラスユニット１５２２を１２個と、１辺が４個の正三角形状のシャンパングラスユニット１５２２を１個とを、シャンパングラス１４２２を設けない領域１８２２に配置されるパイプを囲んで配置する。シャンパングラス１４２２を設けない領域１８２２は、シャンパングラス１個分の領域である。
【００７１】
図４０に示すように、２１段目では、１辺が６個の正三角形状のシャンパングラスユニット１５２１を１個と、１辺が５個の正三角形状又は略正三角形状のシャンパングラスユニット１５２１を１３個と、１辺が４個の正三角形状のシャンパングラスユニット１５２１を１個と、１辺が３個の正三角形状のシャンパングラスユニット１５２１を１個とを、シャンパングラス１４２１を設けない領域１８２１に配置されるパイプを囲んで配置する。シャンパングラス１４２１を設けない領域１８２１は、シャンパングラス３個分の領域である。
【００７２】
図４１に示すように、２０段目では、１辺が５個の正三角形状又は略正三角形状のシャンパングラスユニット１５２０を１３個と、１辺が４個の正三角形状のシャンパングラスユニット１５２０を１個と、１辺が３個の正三角形状のシャンパングラスユニット１５２０を１個とを、シャンパングラス１４２０を設けない領域１８２０に配置されるパイプを囲んで配置する。シャンパングラス１４２０を設けない領域１８２０は、シャンパングラス３個分の領域である。
【００７３】
図４２に示すように、１９段目では、１辺が５個の正三角形状のシャンパングラスユニット１５１９を６個と、１辺が４個の正三角形状又は略正三角形状のシャンパングラスユニット１５１９を１０個とを、シャンパングラス１４１９を設けない領域１８１９に配置されるパイプを囲んで配置する。シャンパングラス１４１９を設けない領域１８１９は、シャンパングラス１個分の領域である。
【００７４】
図４３に示すように、１８段目では、１辺が６個の正三角形状又は略正三角形状のシャンパングラスユニット１５１８を６個と、１辺が５個の正三角形状又は略正三角形状のシャンパングラスユニット１５１８を３個とを、シャンパングラス１４１８を設けない領域１８１８に配置されるパイプを囲んで配置する。シャンパングラス１４１８を設けない領域１８１８は、シャンパングラス３個分の領域である。
【００７５】
図４４に示すように、１７段目では、１辺が６個の正三角形状又は略正三角形状のシャンパングラスユニット１５１７を６個と、１辺が５個の正三角形状のシャンパングラスユニット１５１７を４個と、１辺が４個の正三角形状又は略正三角形状のシャンパングラスユニット１５１７を１個とを、シャンパングラス１４１７を設けない領域１８１７に配置されるパイプを囲んで配置する。シャンパングラス１４１７を設けない領域１８１７は、シャンパングラス３個分の領域である。
【００７６】
図４５に示すように、１６段目では、１辺が６個の正三角形状のシャンパングラスユニット１５１６を１個と、１辺が５個の正三角形状又は略正三角形状のシャンパングラスユニット１５１６を７個と、１辺が４個の正三角形状のシャンパングラスユニット１５１６を１個とを、シャンパングラス１４１６を設けない領域１８１６に配置されるパイプを囲んで配置する。シャンパングラス１４１６を設けない領域１８１６は、シャンパングラス１個分の領域である。
【００７７】
３３段目〜２６段目それぞれのシャンパングラスを設けない領域１８３３〜１８２６は、平面的にみて重なりあっており、シャンパングラスツリーの中央からずれて位置する。
【００７８】
図４６に示すように、１５段目では、１辺が５個の正三角形状又は略正三角形状のシャンパングラスユニット１５１５を６個と、１辺が４個の正三角形状のシャンパングラスユニット１５１５を３個とを、シャンパングラス１４１５を設けない領域１８１５に配置されるパイプを囲んで配置する。シャンパングラス１４１５を設けない領域１８１５は、シャンパングラス３個分の領域である。
【００７９】
図４７に示すように、１４段目では、１辺が５個の正三角形状又は略正三角形状のシャンパングラスユニット１５１４を３個と、１辺が４個の正三角形状又は略正三角形状のシャンパングラスユニット１５１４を６個とを、シャンパングラス１４１４を設けない領域１８１４に配置されるパイプを囲んで配置する。シャンパングラス１４１４を設けない領域１８１４は、シャンパングラス３個分の領域である。
【００８０】
図４８に示すように、１３段目では、１辺が５個の正三角形状のシャンパングラスユニット１５１３を１個と、１辺が４個の正三角形状又は略正三角形状のシャンパングラスユニット１５１３を７個と、１辺が３個の正三角形状のシャンパングラスユニット１５１３を１個とを、シャンパングラス１４１３を設けない領域１８１３に配置されるパイプを囲んで配置する。シャンパングラス１４１３を設けない領域１８１３は、シャンパングラス１個分の領域である。
【００８１】
図４９に示すように、１２段目では、１辺が６個の正三角形状のシャンパングラスユニット１５１２を１個と、１辺が２個の正三角形状のシャンパングラスユニット１５１２を３個と、シャンパングラス１４１３を３個とを、シャンパングラス１４１２を設けない領域１８１２に配置されるパイプを囲んで配置する。シャンパングラス１４１２を設けない領域１８１２は、シャンパングラス３個分の領域である。
【００８２】
図５０に示すように、１１段目では、１辺が６個の正三角形状のシャンパングラスユニット１５１１を１個と、１辺が５個の正三角形状のシャンパングラスユニット１５１１を２個と、１辺が３個の正三角形状のシャンパングラスユニット１５１１を１個と、１辺が２個の正三角形状のシャンパングラスユニット１５１１を２個とを、シャンパングラス１４１１を設けない領域１８１１に配置されるパイプを囲んで配置する。シャンパングラス１４１１を設けない領域１８１１は、シャンパングラス３個分の領域である。
【００８３】
図５１に示すように、１０段目では、１辺が６個の正三角形状のシャンパングラスユニット１５１０を３個と、１辺が２個の正三角形状のシャンパングラスユニット１５１０を３個とを、シャンパングラス１４１０を設けない領域１８１０に配置されるパイプを囲んで配置する。シャンパングラス１４１０を設けない領域１８１０は、シャンパングラス１個分の領域である。
【００８４】
図５２に示すように、９段目では、１辺が５個の正三角形状のシャンパングラスユニット１５０９を１個と、１辺が４個の正三角形状のシャンパングラスユニット１５０９を３個と、３個のシャンパングラス１４０９を直線状に配置してなるシャンパングラスユニット１５０９を１個とを、シャンパングラス１４０９を設けない領域１８０９に配置されるパイプを囲んで配置する。シャンパングラス１４０９を設けない領域１８０９は、シャンパングラス３個分の領域である。
【００８５】
図５３に示すように、８段目では、３個の、１辺が４個の正三角形状のシャンパングラスユニット１５０８と、３個のシャンパングラス１４０８とを、シャンパングラス１４０８を設けない領域１８０８に配置されるパイプを囲んで配置する。シャンパングラス１４０８を設けない領域１８０８は、シャンパングラス３個分の領域である。
【００８６】
図５４に示すように、７段目では、１辺が４個の正三角形状のシャンパングラスユニット１５０７を１個と、１辺が３個の正三角形状又は略正三角形状のシャンパングラスユニット１５０７を３個とを、シャンパングラス１４０７を設けない領域１８０７に配置されるパイプを囲んで配置する。シャンパングラス１４０７を設けない領域１８０７は、シャンパングラス１個分の領域である。
【００８７】
図５５に示すように、６段目では、３個の、１辺が３個の正三角形状のシャンパングラスユニット１５０６を、シャンパングラス１４０６を設けない領域１８０６に配置されるパイプを囲んで配置する。シャンパングラス１４０６を設けない領域１８０６は、シャンパングラス３個分の領域である。
【００８８】
図５６に示すように、５段目では、３個の、１辺が２個の正三角形状のシャンパングラスユニット１５０５と、３個のシャンパングラス１４０５を、シャンパングラス１４０５を設けない領域１８０５に配置されるパイプを囲んで配置する。シャンパングラス１４０５を設けない領域１８０５は、シャンパングラス３個分の領域である。
【００８９】
図５７に示すように、４段目では、３個の、１辺が２個の正三角形状のシャンパングラスユニット１５０４を、シャンパングラス１４０４を設けない領域１８０４に配置されるパイプを囲んで配置する。シャンパングラス１４０４を設けない領域１８０４は、シャンパングラス１個分の領域である。
【００９０】
３段目以前の段では、シャンパングラスユニットを用いず、シャンパングラスを１つ１つ積み重ねている。しかしながら、これに限定されず３段目以前においても、複数のシャンパングラスを接着して形成されるシャンパングラスユニットを用いてもよい。
【００９１】
図５８に示すように、３段目では、１辺に３個のシャンパングラス１４０３が配置され、計６個のシャンパングラス１４０３を用いて正三角形状となるように、シャンパングラス１４０３をパイプを囲んで配置する。パイプは、隣接するシャンパングラス１４０３により形成される隙間に配置される。
【００９２】
図５９に示すように、２段目では、１辺に２個のシャンパングラス１４０２が配置され、計３個のシャンパングラス１４０２を用いて正三角形状となるように、シャンパングラス１４０２をパイプを囲んで配置する。パイプは、隣接するシャンパングラス１４０２により形成される隙間に配置される。
【００９３】
２５段目〜４段目それぞれのシャンパングラスを設けない領域１８２５〜１８０４、及び、３段目、２段目それぞれのシャンパングラスによって形成される隙間は、平面的にみて重なりあっており、シャンパングラスツリーの略中央部に位置する。
【００９４】
図６０に示すように、１段目にはシャンパングラス１４０１が１個配置される。このシャンパングラス１４０１は、第１の実施形態のシャンパングラス４０１と同様に、パイプ２０の先端部がシャンパングラス１４０１のカップに突き刺さった形状をしている。
【００９５】
［変形例］
第１の実施形態においては、土台の脚の位置の関係で、液体を収容する容器１１を中央部に設けられなかったため、パイプを途中で曲げていたが、土台の脚の位置を変え、パイプを曲げずにシャンパングラスツリーの中心に沿って設けてもよい。この場合、例えば２２段目〜２０段目のシャンパングラスユニットの配置を図６１〜図６３のようにすればよい。
【００９６】
図６１は、変形例における２２段目のシャンパングラスユニットの配置を示す。
２２段目に配置するシャンパングラスユニット５２２として、４×５の配列のユニットを２４個形成し、これらシャンパングラスユニット５２２を、中央部に位置するシャンパングラス４２２を設けないシャンパングラス４個分の領域２８２２に配置されるパイプを囲んで配置する。
【００９７】
図６２は、変形例における２１段目のシャンパングラスユニットの配置を示す。
２１段目に配置するシャンパングラスユニット５２１として、４×５の配列のユニットを１６個、３×５の配列のユニットを８個形成し、これらシャンパングラスユニット５２１を、中央部に位置するシャンパングラス４２１を設けないシャンパングラス１個分の領域２８２１に配置されるパイプを囲んで配置する。
【００９８】
図６３は、変形例における２０段目のシャンパングラスユニットの配置を示す。
２０段目に配置するシャンパングラスユニット５２０として、４×５の配列のユニットを８個、４×４の配列のユニットを８個、３×５の配列のユニットを４個、３×４の配列のユニットを４個形成し、これらシャンパングラスユニット５２０を、中央部に位置するシャンパングラス４２０を設けないシャンパングラス４個分の領域２８２０に配置されるパイプを囲んで配置する。
【００９９】
以上のように、上述の実施形態においては、予め複数のシャンパングラスを接着してシャンパングラスユニットを形成し、このシャンパングラスユニットを配置してシャンパングラスツリーを組み立てているので、容易にシャンパングラスの位置合わせを行うことができる。また、特別な用具を用いることなく正確に多段のシャンパングラスツリーを、安定して組み立てることができる。
また、各段の間にアクリル板を設けることにより、安定してシャンパングラスを積み上げることができ、多段のシャンパングラスツリーを組み立てることができる。
また、アクリル板は、該アクリル板の直下に配置される複数のシャンパングラスのうち外側に配置されるシャンパングラスの開口を部分的に塞いでいるので、パイプから流れる液体は、シャンパングラスツリーの各段の外周部に配置されるシャンパングラスのみに注がれる。従って、シャンパングラスツリーの中央部に過度の荷重がかかることなく、過荷重による下段のシャンパングラスの破損、延いてはシャンパングラスツリーの倒壊を防止できる。
【符号の説明】
【０１００】
１２  液体
２０  パイプ
１００  シャンパングラスツリー
３０２〜３２１  アクリル板
３０２ａ〜３２１ａ  貫通孔
４０１〜４２２、１４０１〜１４３３  シャンパングラス
５０６〜５２２、１５０４〜１５３３  シャンパングラスユニット
【図１】
0005406954.tif 000002
【図２】
0005406954.tif 000003
【図３】
0005406954.tif 000004
【図４】
0005406954.tif 000005
【図５】
0005406954.tif 000006
【図６】
0005406954.tif 000007
【図７】
0005406954.tif 000008
【図８】
0005406954.tif 000009
【図９】
0005406954.tif 000010
【図１０】
0005406954.tif 000011
【図１１】
0005406954.tif 000012
【図１２】
0005406954.tif 000013
【図１３】
0005406954.tif 000014
【図１４】
0005406954.tif 000015
【図１５】
0005406954.tif 000016
【図１６】
0005406954.tif 000017
【図１７】
0005406954.tif 000018
【図１８】
0005406954.tif 000019
【図１９】
0005406954.tif 000020
【図２０】
0005406954.tif 000021
【図２１】
0005406954.tif 000022
【図２２】
0005406954.tif 000023
【図２３】
0005406954.tif 000024
【図２４】
0005406954.tif 000025
【図２５】
0005406954.tif 000026
【図２６】
0005406954.tif 000027
【図２７】
0005406954.tif 000028
【図２８】
0005406954.tif 000029
【図２９】
0005406954.tif 000030
【図３０】
0005406954.tif 000031
【図３１】
0005406954.tif 000032
【図３２】
0005406954.tif 000033
【図３３】
0005406954.tif 000034
【図３４】
0005406954.tif 000035
【図３５】
0005406954.tif 000036
【図３６】
0005406954.tif 000037
【図３７】
0005406954.tif 000038
【図３８】
0005406954.tif 000039
【図３９】
0005406954.tif 000040
【図４０】
0005406954.tif 000041
【図４１】
0005406954.tif 000042
【図４２】
0005406954.tif 000043
【図４３】
0005406954.tif 000044
【図４４】
0005406954.tif 000045
【図４５】
0005406954.tif 000046
【図４６】
0005406954.tif 000047
【図４７】
0005406954.tif 000048
【図４８】
0005406954.tif 000049
【図４９】
0005406954.tif 000050
【図５０】
0005406954.tif 000051
【図５１】
0005406954.tif 000052
【図５２】
0005406954.tif 000053
【図５３】
0005406954.tif 000054
【図５４】
0005406954.tif 000055
【図５５】
0005406954.tif 000056
【図５６】
0005406954.tif 000057
【図５７】
0005406954.tif 000058
【図５８】
0005406954.tif 000059
【図５９】
0005406954.tif 000060
【図６０】
0005406954.tif 000061
【図６１】
0005406954.tif 000062
【図６２】
0005406954.tif 000063
【図６３】
0005406954.tif 000064